(57)【要約】【課題】メモリの記憶容量を気にすることなく撮影を行うことができるとともに、撮影された画像そのものを、撮影を行った端末において確認する。【解決手段】携帯端末１０−１〜ｎは、撮影された画像を一意に識別する識別情報と、当該画像を示す画像ファイルよりもファイルサイズの小さな小容量情報を示す小容量情報ファイルとを生成する。そして、小容量情報ファイルと識別情報とを対応付けて記憶し、画像ファイルと識別情報とをサーバー２０へ送信する。その後、小容量情報の選択を受け付けると、受け付けた小容量情報を示す小容量情報ファイルと対応する識別情報をサーバー２０へ送信する。サーバー２０は、携帯端末１０−１〜ｎからの画像ファイルと識別情報とを受信し、それらを対応付けて記憶する。その後、携帯端末１０−１〜ｎからの識別情報を受信すると、その識別情報に対応する画像ファイルを当該携帯端末へ送信する。【選択図】図１
2010245602.tif 000002
【特許請求の範囲】
【請求項１】
画像の撮影を行う撮像部を備えた端末と、前記端末と通信を行うサーバーとを有するファイル記憶システムであって、
前記端末は、前記撮像部によって撮影された画像を一意に識別する識別情報を生成し、さらに、当該画像を示す画像ファイルに基づき、当該画像ファイルよりもファイルサイズの小さな小容量情報を示す小容量情報ファイルを生成し、該生成された小容量情報ファイルと、前記識別情報とを対応付けて記憶するとともに、前記画像ファイルと前記識別情報とを前記サーバーへ送信し、その後、前記小容量情報の選択を受け付けると、該選択された前記小容量情報を示す小容量情報ファイルと対応する前記識別情報を前記サーバーへ送信し、
前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信するファイル記憶システム。
【請求項２】
請求項１に記載のファイル記憶システムにおいて、
前記小容量情報は、前記撮像部によって撮影された画像のサムネイル画像であるファイル記憶システム。
【請求項３】
請求項２に記載のファイル記憶システムにおいて、
前記サムネイル画像は、前記撮像部によって撮影された画像が動画像である場合、当該動画像よりも単位時間当たりの画面の更新回数を少なくした動画像であるファイル記憶システム。
【請求項４】
請求項２に記載のファイル記憶システムにおいて、
前記サムネイル画像は、前記撮像部によって撮影された画像が動画像である場合、当該動画像の最初の画像を示す静止画像であるファイル記憶システム。
【請求項５】
請求項２に記載のファイル記憶システムにおいて、
前記サムネイル画像は、前記撮像部によって撮影された画像が動画像である場合、当該動画像の表示サイズを小さくした動画像であるファイル記憶システム。
【請求項６】
請求項１乃至５のいずれか１項に記載のファイル記憶システムにおいて、
前記識別情報は、前記撮像部によって撮影された画像の撮影年月日及び時刻と、前記端末を識別する情報とを組み合わせた情報であるファイル記憶システム。
【請求項７】
請求項１乃至５のいずれか１項に記載のファイル記憶システムにおいて、
前記端末は、前記撮像部によって撮影された画像の画像名の入力を受け付け、該受け付けた画像名と当該端末を識別する情報との組み合わせを前記識別情報とするファイル記憶システム。
【請求項８】
画像の撮影を行う撮像部を備えた端末と、前記端末と通信を行うサーバーとを有するファイル記憶システムにおけるファイル記憶方法であって、
前記端末が、前記撮像部によって撮影された画像を一意に識別する識別情報を生成する処理と、
前記端末が、当該画像を示す画像ファイルに基づき、前記識別情報と対応付けられ、当該画像ファイルよりもファイルサイズの小さな小容量情報を示す小容量情報ファイルを生成する処理と、
前記端末が、前記画像ファイルと前記識別情報とを前記サーバーへ送信する処理と、
前記サーバーが、前記端末から送信された前記画像ファイルと前記識別情報とを受信すると、該受信した前記画像ファイルと前記識別情報とを対応付けて記憶する処理と、
前記端末が、前記小容量情報の選択を受け付ける処理と、
前記端末が、前記選択された前記小容量情報を示す小容量情報ファイルと対応する前記識別情報を前記サーバーへ送信する処理と、
前記サーバーが、前記端末から送信された前記識別情報を受信すると、該受信した識別情報に対応する前記画像ファイルを当該端末へ送信する処理と、を有するファイル記憶方法。
【請求項９】
請求項８に記載のファイル記憶方法において、
前記小容量情報は、前記撮像部によって撮影された画像のサムネイル画像であるファイル記憶方法。
【請求項１０】
請求項９に記載のファイル記憶方法において、
前記サムネイル画像は、前記撮像部によって撮影された画像が動画像である場合、当該動画像よりも単位時間当たりの画面の更新回数を少なくした動画像であるファイル記憶方法。
【請求項１１】
請求項９に記載のファイル記憶方法において、
前記サムネイル画像は、前記撮像部によって撮影された画像が動画像である場合、当該動画像の最初の画面を示す静止画像であるファイル記憶方法。
【請求項１２】
請求項９に記載のファイル記憶方法において、
前記サムネイル画像は、前記撮像部によって撮影された画像が動画像である場合、当該動画像の表示サイズを小さくした動画像であるファイル記憶方法。
【請求項１３】
請求項８乃至１２のいずれか１項に記載のファイル記憶方法において、
前記識別情報は、前記撮像部によって撮影された画像の撮影年月日及び時刻と、前記端末を識別する情報とを組み合わせた情報であるファイル記憶方法。
【請求項１４】
請求項８乃至１２のいずれか１項に記載のファイル記憶方法において、
前記端末が、前記撮像部によって撮影された画像の画像名の入力を受け付ける処理をさらに有し、
前記識別情報は、前記受け付けた画像名と当該端末を識別する情報とを組み合わせた情報であるファイル記憶方法。
【発明の詳細な説明】
【技術分野】
【０００１】
本発明は、画像を撮影可能な端末を有するファイル記憶システム及びファイル記憶方法に関する。
【背景技術】
【０００２】
近年、携帯端末等のデジタルカメラの画素数は、増加の一途を辿っている。それに伴って、撮影された画像１枚に相当するファイルのサイズは大きくなってきている。携帯端末等では大容量のメモリを内蔵していない場合が多く、また、携帯端末等には、撮影された画像以外のファイル（メール、着信メロディ等）が記憶されていることが多い。そのため、撮影された画像の枚数が増えてくるとメモリの記憶容量を超えてしまい、撮影された画像をすべて記憶させることができなくなってしまう。この場合、何らかのファイルを削除したり、外部メモリを追加したりする必要がある。
【０００３】
メモリの記憶容量を超えないようにするための他の方法としては、撮影された画像の画質を落とす等により、画像１枚に相当するファイルのサイズを小さくする方法がある。しかし、この場合、高画素数のデジタルカメラの性能を十分に発揮できなくなってしまう。
【０００４】
ここで、メモリの記憶容量を気にすることなく撮影を行うための技術が例えば、特許文献１に開示されている。特許文献１に開示されている技術では、デジタルカメラは、画像を撮影すると、撮影された画像を示す画像ファイルを写真サービスセンタへ送信する。写真サービスセンタへ画像ファイルが送信されると、デジタルカメラに内蔵されたメモリには、画像ファイルは記憶されず、その画像のサムネイル画像のファイルだけが記憶される。そして、デジタルカメラのユーザは、デジタルカメラ上でサムネイル画像を確認し、必要な画像を写真サービスセンタにおいてプリントする。なお、サムネイル画像とは、多数の画像を一覧表示するために縮小された画像のことである。サムネイル画像は、画像ファイルに基づいて生成され、元の画像を判別できるようになっている。また、サムネイル画像を示すサムネイル画像ファイルは、画像ファイルに比べてファイルサイズが小さい。
【０００５】
特許文献１に開示されている技術では、デジタルカメラに内蔵されたメモリにはファイルサイズの小さなサムネイル画像ファイルだけが記憶されるため、メモリの消費量を抑えることができる。従って、ユーザは、メモリの記憶容量を気にすることなく撮影を行うことができる。
【先行技術文献】
【特許文献】
【０００６】
【特許文献１】特開２００４−１５８９４４号公報
【発明の概要】
【発明が解決しようとする課題】
【０００７】
特許文献１に開示されている技術では、上述したように、撮影された画像を示す画像ファイルがデジタルカメラから写真サービスセンタへ送信された後には、その画像ファイルはデジタルカメラに内蔵されたメモリには記憶されない。
【０００８】
そのため、画像ファイルをサーバーへ送信した後には、プリントしなければ撮影された画像そのものを確認することが一切できないという問題点がある。
【０００９】
本発明は、メモリの記憶容量を気にすることなく撮影を行うことができるとともに、撮影された画像そのものを、撮影を行った端末において確認することができるファイル記憶システム及びファイル記憶方法を提供することを目的とする。
【課題を解決するための手段】
【００１０】
上記目的を達成するために本発明は、
画像の撮影を行う撮像部を備えた端末と、前記端末と通信を行うサーバーとを有するファイル記憶システムであって、
前記端末は、前記撮像部によって撮影された画像を一意に識別する識別情報を生成し、さらに、当該画像を示す画像ファイルに基づき、当該画像ファイルよりもファイルサイズの小さな小容量情報を示す小容量情報ファイルを生成し、該生成された小容量情報ファイルと、前記識別情報とを対応付けて記憶するとともに、前記画像ファイルと前記識別情報とを前記サーバーへ送信し、その後、前記小容量情報の選択を受け付けると、該選択された前記小容量情報を示す小容量情報ファイルと対応する前記識別情報を前記サーバーへ送信し、
前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信する。
【００１１】
また、画像の撮影を行う撮像部を備えた端末と、前記端末と通信を行うサーバーとを有するファイル記憶システムにおけるファイル記憶方法であって、
前記端末が、前記撮像部によって撮影された画像を一意に識別する識別情報を生成する処理と、
前記端末が、当該画像を示す画像ファイルに基づき、前記識別情報と対応付けられ、当該画像ファイルよりもファイルサイズの小さな小容量情報を示す小容量情報ファイルを生成する処理と、
前記端末が、前記画像ファイルと前記識別情報とを前記サーバーへ送信する処理と、
前記サーバーが、前記端末から送信された前記画像ファイルと前記識別情報とを受信すると、該受信した前記画像ファイルと前記識別情報とを対応付けて記憶する処理と、
前記端末が、前記小容量情報の選択を受け付ける処理と、
前記端末が、前記選択された前記小容量情報を示す小容量情報ファイルと対応する前記識別情報を前記サーバーへ送信する処理と、
前記サーバーが、前記端末から送信された前記識別情報を受信すると、該受信した識別情報に対応する前記画像ファイルを当該端末へ送信する処理と、を有する。
【発明の効果】
【００１２】
本発明によれば、端末は、撮像部によって撮影された画像を一意に識別する識別情報を生成し、さらに、当該画像を示す画像ファイルに基づき、当該画像ファイルよりもファイルサイズの小さな小容量情報を示す小容量情報ファイルを生成する。そして、生成された小容量情報ファイルと、識別情報とを対応付けて記憶するとともに、画像ファイルと識別情報とをサーバーへ送信する。その後、小容量情報の選択を受け付けると、選択された小容量情報を示す小容量情報ファイルと対応する識別情報をサーバーへ送信する。サーバーは、端末から送信された画像ファイルと識別情報とを受信すると、受信した画像ファイルと識別情報とを対応付けて記憶する。その後、端末から送信された識別情報を受信すると、受信した識別情報に対応する画像ファイルを当該端末へ送信する。
【００１３】
そのため、メモリの記憶容量を気にすることなく撮影を行うことができるとともに、撮影された画像そのものを、撮影を行った端末において確認することができる。
【図面の簡単な説明】
【００１４】
【図１】本発明のファイル記憶システムの実施の一形態の構成を示す図である。
【図２】図１に示した携帯端末の構成の一例を示すブロック図である。
【図３】図２に示した携帯端末の表示部に表示された画像選択画面の一例を示す図である。
【図４】図１に示したサーバーの構成の一例を示すブロック図である。
【図５】図１〜図４に示したファイル記憶システムの動作を説明するためのフローチャートである。
【図６】図１〜図４に示したファイル記憶システムの動作を説明するためのフローチャートである。
【発明を実施するための形態】
【００１５】
以下に、本発明の実施の形態について図面を参照して説明する。
【００１６】
図１は、本発明のファイル記憶システムの実施の一形態の構成を示す図である。
【００１７】
本実施形態のファイル記憶システムは図１に示すように、端末である携帯端末１０−１〜１０−ｎと、サーバー２０とを備えている。携帯端末１０−１〜１０−ｎとサーバー２０とは、移動体通信網３０を介して接続されている。なお、移動体通信網３０には、携帯端末１０−１〜１０−ｎと無線通信を行う基地局（不図示）や、携帯端末１０−１〜１０−ｎ、サーバー２０からの発信、及び携帯端末１０−１〜１０−ｎ、サーバー２０への着信を制御する制御装置（不図示）等が含まれている。
【００１８】
本実施形態のファイル記憶システムでは、携帯端末１０−１〜１０−ｎによって撮影された画像を示す画像ファイルが移動体通信網３０を介して携帯端末１０−１〜１０−ｎからサーバー２０へ送信される。また、携帯端末１０−１〜１０−ｎからの要求に応じ、画像ファイルが移動体通信網３０を介してサーバー２０から当該携帯端末へ送信される。以降、携帯端末１０−１〜１０−ｎからサーバー２０へ画像ファイルを送信することをアップロードといい、サーバー２０から携帯端末１０−１〜１０−ｎへ画像ファイルを送信することをダウンロードということがある。
【００１９】
図２は、図１に示した携帯端末１０−１の構成の一例を示すブロック図である。なお、携帯端末１０−２〜１０−ｎも同じ構成である。
【００２０】
図１に示した携帯端末１０−１は図２に示すように、制御部１１と、記憶部１２と、通信ＩＦ（Ｉｎｔｅｒｆａｃｅ）１３と、操作部１４と、撮像部１５と、ＲＡＭ（Ｒａｎｄｏｍ  Ａｃｃｅｓｓ  Ｍｅｍｏｒｙ）１６と、表示部１７とを備えている。
【００２１】
操作部１４は、携帯端末１０−１のユーザが操作するボタンや十字カーソルキー等で構成される。操作部１４は、携帯端末１０−１のユーザがボタンや十字カーソルキーを操作することによって選択した処理や文字等の入力を受け付け、以下に示す動作を行う。
【００２２】
（１）携帯端末１０−１のユーザから画像の撮影の処理を受け付け、その旨を示す撮影信号を撮像部１５へ出力する。
【００２３】
（２）携帯端末１０−１のユーザからダウンロードの処理を受け付け、その旨を示すダウンロード開始信号を制御部１１へ出力する。
【００２４】
（３）表示部１７に表示された画像選択画面において携帯端末１０−１のユーザからサムネイル画像の選択を受け付ける。そして、選択されたサムネイル画像を示すサムネイル画像ファイルに対応する識別情報を記憶部１２から取得し、取得された識別情報を制御部１１へ出力する。なお、識別情報及び画像選択画面については後述する。
【００２５】
撮像部１５は、操作部１４から出力された撮影信号を受け付けると、入射する光を結像し、結像された光をアナログの電気信号に変換する。そして、変換されたアナログの電気信号から画像ファイルを生成する。そして、生成された画像ファイルをＲＡＭ１６へ出力する。なお、撮像部１５は、静止画像だけではなく、動画像の画像ファイルも生成することができる。また、撮像部１５は、現在の年月日及び時刻を把握しており、生成された画像ファイルには画像が撮影された撮影年月日及び時刻が含まれている。
【００２６】
ＲＡＭ１６は、撮像部１５から出力された画像ファイルを一時的に記憶する。
【００２７】
制御部１１は、携帯端末１０−１の動作を制御するものであり、代表的な動作としては以下が挙げられる。
【００２８】
（１）ＲＡＭ１６に画像ファイルが記憶されたことを検知すると、その画像ファイルをＲＡＭ１６から取得する。そして、取得された画像ファイルに基づく画像を一意に識別する識別情報を生成する。なお、識別情報は、携帯端末１０−１〜１０−ｎを識別する端末情報と、取得された画像ファイルに含まれる撮影年月日及び時刻とが組み合わされた情報である。
【００２９】
（２）取得された画像ファイルに基づき、小容量情報であるサムネイル画像を示すサムネイル画像ファイルを生成する。なお、サムネイル画像ファイルは、取得された画像ファイルよりもファイルサイズが小さい。また、取得された画像ファイルに基づく画像が動画像である場合、例えば、その動画像よりも単位時間当たりの画面の更新回数を少なくした動画像や、その動画像の最初の画面を示す静止画像、その動画像の表示サイズを小さくした動画像をサムネイル画像とする。
【００３０】
（３）上記（１）において生成された識別情報と、上記（２）において生成されたサムネイル画像ファイルとを対応付けて記憶部１２に記憶させる。
【００３１】
（４）上記（１）において取得された画像ファイルと、上記（１）において生成された識別情報とを通信ＩＦ１３を介してサーバー２０へ送信する。
【００３２】
（５）操作部１４から出力されたダウンロード開始信号を受け付けると、記憶部１２に記憶されているサムネイル画像ファイルを取得する。そして、取得されたサムネイル画像ファイルに基づくサムネイル画像を含む画像選択画面を表示部１７に表示させる。
【００３３】
（６）操作部１４から出力された識別情報を受け付けると、受け付けた識別情報を含み、画像ファイルの送信を要求するための画像ファイル送信要求を通信ＩＦ１３を介してサーバー２０へ送信する。
【００３４】
図３は、図２に示した携帯端末１０−１の表示部１７に表示された画像選択画面の一例を示す図である。
【００３５】
画像選択画面は図３に示すように、記憶部１２に記憶されているサムネイル画像ファイルに基づくサムネイル画像の一覧１０１と、選択完了ボタン１０２とから構成されている。
【００３６】
再度、図２を参照すると、記憶部１２は、識別情報とサムネイル画像ファイルとを対応付けて記憶する。また、携帯端末１０−１を識別する端末情報を記憶する。
【００３７】
表示部１７は、画像選択画面を表示する。
【００３８】
通信ＩＦ１３は、サーバー２０との通信を仲介する。
【００３９】
図４は、図１に示したサーバー２０の構成の一例を示すブロック図である。
【００４０】
図１に示したサーバー２０は図４に示すように、制御部２１と、記憶部２２と、通信ＩＦ２３とを備えている。
【００４１】
通信ＩＦ２３は、携帯端末１０−１〜１０−ｎとの通信を仲介する。
【００４２】
制御部２１は、携帯端末１０−１〜１０−ｎから送信された画像ファイルと識別情報とを受信し、受信した画像ファイルと識別情報とを対応付けて記憶部２２に記憶させる。また、制御部２１は、携帯端末１０−１〜１０−ｎから送信された画像ファイル送信要求を受信すると、受信した画像ファイル送信要求に含まれる識別情報を抽出する。そして、抽出された識別情報に対応する画像ファイルを記憶部２２から取得し、画像ファイル送信要求の送信元の携帯端末１０−１〜１０−ｎへ取得された画像ファイルを送信する。
【００４３】
記憶部２２は、画像ファイルと識別情報とを対応付けて記憶する。
【００４４】
以下に、上記のように構成されたファイル記憶システムの動作について説明する。ここでは、携帯端末１０−１によって画像が撮影されるものとする。
【００４５】
まず、携帯端末１０−１によって撮影された画像を示す画像ファイルを携帯端末１０−１からサーバー２０へアップロードする動作について説明する。
【００４６】
図５は、図１〜図４に示したファイル記憶システムの動作を説明するためのフローチャートである。
【００４７】
まず、携帯端末１０−１のユーザは、携帯端末１０−１の操作部１４を操作することによって画像を撮影する処理を行う。
【００４８】
携帯端末１０−１のユーザからの画像の撮影の処理を受け付けた操作部１４は、撮影信号を撮像部１５へ出力する。
【００４９】
操作部１４から出力された撮影信号を受け付けた撮像部１５は、入射する光を結像し、結像された光をアナログの電気信号に変換する。そして、変換されたアナログの電気信号から画像ファイルを生成する（ステップＳ１）。
【００５０】
そして、撮像部１５は、生成された画像ファイルをＲＡＭ１６へ出力する。
【００５１】
撮像部１５から出力された画像ファイルを受け付けたＲＡＭ１６は、受け付けた画像ファイルを一時的に記憶する（ステップＳ２）。
【００５２】
ＲＡＭ１６に画像ファイルが記憶されたことを検知した制御部１１は、その画像ファイルをＲＡＭ１６から取得する。
【００５３】
次に、制御部１１は、携帯端末１０−１を識別する端末情報を記憶部１２から取得する。そして、取得された端末情報と、取得された画像ファイルに含まれる撮影年月日及び時刻とから識別情報を生成する（ステップＳ３）。
【００５４】
さらに、制御部１１は、取得された画像ファイルに基づいてサムネイル画像ファイルを生成する（ステップＳ４）。
【００５５】
次に、制御部１１は、ステップＳ３において生成された識別情報と、ステップＳ４において生成されたサムネイル画像ファイルとを対応付けて記憶部１２に記憶させる（ステップＳ５）。
【００５６】
そして、制御部１１は、取得された画像ファイルと、ステップＳ３において生成された識別情報とを通信ＩＦ１３を介してサーバー２０へ送信する（ステップＳ６）。
【００５７】
携帯端末１０−１から送信された画像ファイルと識別情報とを受信したサーバー２０の制御部２１は、受信した画像ファイルと識別情報と対応付けて記憶部２２に記憶させる（ステップＳ７）。
【００５８】
以上が、携帯端末１０−１によって撮影された画像を示す画像ファイルを携帯端末１０−１からサーバー２０へアップロードする動作である。
【００５９】
次に、サーバー２０に記憶されている画像ファイルをサーバー２０から携帯端末１０−１へダウンロードする動作について説明する。
【００６０】
図６は、図１〜図４に示したファイル記憶システムの動作を説明するためのフローチャートである。
【００６１】
まず、携帯端末１０−１の操作部１４は、携帯端末１０−１のユーザから画像ファイルのダウンロードの処理の選択を受け付ける。
【００６２】
ダウンロードの処理の選択を受け付けた操作部１４は、ダウンロード開始信号を制御部１１へ出力する。
【００６３】
操作部１４から出力されたダウンロード開始信号を受け付けた制御部１１は、記憶部１２に記憶されているサムネイル画像ファイルを取得する。
【００６４】
そして、制御部１１は、取得されたサムネイル画像ファイルに基づくサムネイル画像を含む画像選択画面を表示部１７に表示させる。
【００６５】
携帯端末１０−１のユーザは、操作部１４を操作することにより、画像選択画面上でサムネイル画像を選択する。
【００６６】
操作部１４は、携帯端末１０−１のユーザからのサムネイル画像の選択を受け付ける（ステップＳ５１）。
【００６７】
携帯端末１０−１のユーザは、サムネイル画像の選択を完了すると、画像選択画面上で選択完了ボタン１０２を押下する。
【００６８】
選択完了ボタン１０２の押下を受け付けた操作部１４は、選択されたサムネイル画像を示すサムネイル画像ファイルに対応する識別情報を記憶部１２から取得する（ステップＳ５２）。
【００６９】
そして、操作部１４は、取得された識別情報を制御部１１へ出力する。
【００７０】
操作部１４から出力された識別情報を受け付けた制御部１１は、受け付けた識別情報を含む画像ファイル送信要求を通信ＩＦ１３を介してサーバー２０へ送信する（ステップＳ５３）。
【００７１】
携帯端末１０−１から送信された画像ファイル送信要求を通信ＩＦ２３を介して受信したサーバー２０の制御部２１は、受信した画像ファイル送信要求に含まれる識別情報を抽出する。
【００７２】
次に、制御部２１は、抽出された識別情報に対応する画像ファイルを記憶部２２から取得する（ステップＳ５４）。
【００７３】
そして、制御部２１は、記憶部２２から取得した画像ファイルを通信ＩＦ２３を介して携帯端末１０−１へ送信する（ステップＳ５５）。
【００７４】
携帯端末１０−１の制御部１１は、サーバー２０から送信された画像ファイルを通信ＩＦ１３を介して受信する（ステップＳ５６）。
【００７５】
そして、携帯端末１０−１の制御部１１は、受信した画像ファイルに基づく画像を表示部１７に表示させる。これにより、携帯端末１０−１のユーザは、サムネイル画像ではなく、撮影された画像そのものを確認することができる。
【００７６】
以上が、サーバー２０に記憶されている画像ファイルをサーバー２０から携帯端末１０−１へダウンロードする動作である。
【００７７】
このように本実施形態において、携帯端末１０−１〜１０−ｎは、撮像部１５によって撮影された画像を一意に識別する識別情報を生成し、さらに、当該画像を示す画像ファイルに基づき、当該画像ファイルよりもファイルサイズの小さなサムネイル画像を示すサムネイル画像ファイルを生成する。そして、生成されたサムネイル画像ファイルと、識別情報とを対応付けて記憶部１２に記憶させるとともに、画像ファイルと識別情報とをサーバー２０へ送信する。その後、サムネイル画像の選択を受け付けると、選択されたサムネイル画像を示すサムネイル画像ファイルと対応する識別情報をサーバー２０へ送信する。サーバー２０は、携帯端末１０−１〜１０−ｎから送信された画像ファイルと識別情報とを受信すると、受信した画像ファイルと識別情報とを対応付けて記憶部２２に記憶させる。その後、携帯端末１０−１〜１０−ｎから送信された画像ファイル送信要求を受信すると、受信した画像ファイル送信要求に含まれる識別情報に対応する画像ファイルを、画像ファイル送信要求の送信元の携帯端末１０−１〜１０−ｎへ送信する。
【００７８】
そのため、メモリの記憶容量を気にすることなく撮影を行うことができるとともに、撮影された画像そのものを、撮影を行った携帯端末１０−１〜１０−ｎにおいて確認することができる。
【００７９】
なお、本発明は、カメラ機能及び通信機能を有する携帯端末、例えば、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｔ）、携帯型音響装置、携帯型映像装置等に適用できる。また、通信機能を有するデジタルカメラにも適用できる。
【００８０】
また、本実施形態では、撮影された画像は、必ず携帯端末１０−１〜１０−ｎからサーバー２０へアップロードされる場合について説明したが、撮影された画像をサーバー２０へアップロードするかどうかを選択できるようにしてもよい。
【００８１】
また、本実施形態では、携帯端末１０−１〜１０−ｎとサーバー２０との間の通信は、移動体通信網３０を介して行われる場合について説明したが、赤外線通信等の近距離通信方式を利用して通信を行うようにしてもよい。
【００８２】
また、本実施形態では、携帯端末１０−１〜１０−ｎを識別する端末情報と、撮影年月日及び時刻とが組み合わされた情報を識別情報とした。識別情報としては他に、例えば、端末情報と画像の画像名との組み合わせとしてもよい。この場合、画像名は、携帯端末１０−１〜１０−ｎのユーザに入力させるようにしてもよい。
【符号の説明】
【００８３】
１０−１〜１０−ｎ    携帯端末
１１，２１    制御部
１２，２２    記憶部
１３，２３    通信ＩＦ
１４    操作部
１５    撮像部
１６    ＲＡＭ
１７    表示部
２０    サーバー
１０１    サムネイル画像の一覧
１０２    選択完了ボタン
【図１】
2010245602.tif 000003
【図２】
2010245602.tif 000004
【図３】
2010245602.tif 000005
【図４】
2010245602.tif 000006
【図５】
2010245602.tif 000007
【図６】
2010245602.tif 000008